(57)【要約】【課題】  極めて簡単な操作で安定性のある「開封済」の表示を可能とする構造を備える包装用箱及びそのブランクシートの提供。【解決手段】  平面又は曲面が屈曲部を介して連続しその内側に閉鎖空間を形成する包装用箱であって、複層部αの下層面とそれに連続する面との境界部に、その境界線と交差する一対の切込ｓ，ｓに挟まれた出没部Ｘを備え、陥没前に前記複層部αの上層面に覆われる前記出没部Ｘの非貼着部又は剥離予定部に、開封済である旨を示す表示を備えることを特徴とする包装用箱。【選択図】      図１
2019001529.tif 000002
【特許請求の範囲】
【請求項１】
平面又は曲面が屈曲部を介して連続しその内側に閉鎖空間を形成する包装用箱であって、
複層部の下層面とそれに連続する面との境界部に、その境界線と交差する一対の切込に挟まれた出没部を備え、
陥没前に前記複層部の上層面に覆われる前記出没部の非貼着部又は剥離予定部に、開封済である旨を示す表示を備えることを特徴とする包装用箱。
【請求項２】
一枚のブランクシートを直方体状に成形してなる包装用箱であって、
筒状に連結した四側面並びに当該四側面に囲まれた開口部を封じる蓋部及び底部を備え、
前記出没部は、包装用箱の複層部の下層面とそれに連続する側面とで構成されることを特徴とする請求項１に記載の包装用箱。
【請求項３】
前記出没部は、前記蓋部又は底部の下層面であるフラップとそれに連続する側面との境界部に備えることを特徴とする請求項１又は請求項２のいずれかに記載の包装用箱。
【請求項４】
平面又は曲面が屈曲部を介して連続しその内側に閉鎖空間を形成する包装用箱となるブランクシートであって、
平面が屈曲部を介して連続し、複層部となる重合面の下層面とそれに連続する面との境界部に、その境界線と交差する一対の切込に挟まれた出没部を備え、前記出没部は、陥没前に前記複層部の上層面に覆われる非貼着部又は剥離予定部に、開封済である旨を示す表示を備えることを特徴とする包装用箱用ブランクシート。
【発明の詳細な説明】
【技術分野】
【０００１】
本発明は、開封されたことを表示する機能を一体的に備える包装用箱及びそのブランクシートに関する。
【背景技術】
【０００２】
医薬品などを内包する包装用箱の分野では、包装用箱の内容物を入れ替えることによって深刻な事故が発生することがある他、いったん開封すると内容物が汚染されるなどの問題が重視されている。
かかる問題を回避するために、当該医薬品が開封されたものであるのか、未開封のものであるかを明確に区別する必要が生じる。
【０００３】
従来は、情報カードを切り取ることによって「開封済」の表示が露出する構造（例えば下記特許文献１参照）、上蓋を開けて「開封済」の表示がなされたタブをフラップから引き起こし外部へ引き出す構造（例えば下記特許文献２参照）、上蓋の一部を引き剥がすと「開封済」の表示が露出する構造（例えば下記特許文献３参照）、開封後に上蓋に連続して内部に織り込まれていたフラップを側板との境界で破断し再封する際に外部へ引き出すことによって、引き出されたフラップの表面に表示された「開封済」の表示が露出する構造（例えば下記特許文献４参照）、表蓋の一部を裏蓋の切込へ差し入れることによって、表蓋の一部に形成された窓から「開封済」の表示が露出する構造（例えば下記特許文献５参照）が紹介されている。
【先行技術文献】
【特許文献】
【０００４】
【特許文献１】実用新案公報第３１９４８３３号公報
【特許文献２】実用新案公報第３１９４８３４号公報
【特許文献３】実用新案公報第３２０６１２５号公報
【特許文献４】実用新案公報第３２０６１９９号公報
【特許文献５】特開２０１３−２５２８６５号公報
【発明の概要】
【発明が解決しようとする課題】
【０００５】
しかしながら、前記特許文献１に記載の技術は、タグを持たない箱には適用できず、タグを持たない箱に適用するには前記特許文献２に記載の技術のように無駄な紙片が発生すると言う問題がある。
一方、特許文献５に記載の技術は、「開封済」の表示を露出させる操作が煩雑であり、前記特許文献２及び特許文献４に記載の技術は、更に、「開封済」の表示がなされた紙片の姿勢が不安定であるという問題がある。
【０００６】
本発明は、上記実情に鑑みて為されたものであって、極めて簡単な操作で安定性のある「開封済」の表示を可能とする構造を備える包装用箱及びそのブランクシートの提供を目的とする。
【課題を解決するための手段】
【０００７】
上記課題を解決すべく為された本発明による包装用箱は、平面又は曲面が屈曲部を介して連続しその内側に閉鎖空間を形成する包装用箱であって、複層部の下層面とそれに連続する面との境界部に、その境界線と交差する一対の切込に挟まれた出没部を備え、陥没前に前記複層部の上層面に覆われる前記出没部の非貼着部又は剥離予定部に、開封済である旨を示す表示を備えることを特徴とする。
【０００８】
その一形態として、一枚のブランクシートを直方体状に成形してなる包装用箱であって、筒状に連結した四側面並びに当該四側面に囲まれた開口部を封じる蓋部及び底部を備え、前記出没部は、包装用箱の複層部の下層面とそれに連続する側面とで構成される包装用箱とすることができる。
前記出没部は、前記蓋部又は底部の下層面であるフラップとそれに連続する側面との境界部に備える構成を採ることができる。
【０００９】
上記課題を解決すべく為された本発明による包装用箱のブランクシートは、平面又は曲面が屈曲部を介して連続しその内側に閉鎖空間を形成する包装用箱となるブランクシートであって、平面が屈曲部を介して連続し、複層部となる重合面の下層面とそれに連続する面との境界部に、その境界線と交差する一対の切込に挟まれた出没部を備え、前記出没部は、陥没前に前記複層部の上層面に覆われる非貼着部又は剥離予定部に、開封済である旨を示す表示を備えることを特徴とする。
【発明の効果】
【００１０】
本発明による包装用箱及びそのブランクシートによれば、タグを備えるか否かに関わらず、極めて簡単な操作で安定性のある開封表示を行うことができる。
しかも、当該表示を行うに際して無駄な紙片が発生することもなく、開封表示がなされた紙片の姿勢を安定に保つことができる。
【図面の簡単な説明】
【００１１】
【図１】本発明による包装用箱の機能の一例を示す（Ａ）：右側面図及び（Ｂ）：正面から見た縦断面図である。
【図２】本発明による包装用箱の機能の一例を示す（Ａ）：右側面図及び（Ｂ）：正面から見た縦断面図である。
【図３】本発明による包装用箱の一例を示す（Ａ）：正面図及び（Ｂ）：背面図である。
【図４】本発明による包装用箱の一例を示す（Ａ）：左側面図及び（Ｂ）：右側面図である。
【図５】本発明による包装用箱の一例を示す（Ａ）：平面図及び（Ｂ）：底面図である。
【図６】本発明による包装用箱のブランクシートの一例を示す平面図である。
【発明を実施するための形態】
【００１２】
以下、本発明による包装用箱の実施の形態を、そのブランクシートの実施の形態と共に詳細に説明する。
本発明による包装用箱は、平面又は曲面が屈曲部を介して連続しその内側に閉鎖空間を形成する包装用箱である。
この例は、当該包装用箱が備える複層部αの下層面とそれに連続する面との境界部に、その境界線と交差する一対の切込ｓ，ｓに挟まれた出没部Ｘを備え、前記下層面の膨出時において前記複層部αの上層面に覆われる非貼着部又は剥離予定部（以下「開閉部β」という）に、開封済である旨を示す表示（以下「開封表示」という）を備える。
尚、ここで剥離予定部とは、例えば、圧着等により開封表示を残しつつ剥離できるよう便宜を図りつつ接着された部分を言う。
【００１３】
この例の前記出没部Ｘは、くの字状を呈する一対の切込ｓ，ｓに挟まれた領域であって、開封前において隣接する二面を山折りし膨出させてある領域を、開封後において当該稜線部分を押し入れることによって、その山折りの稜線ｒが谷折りの折り目となる様に陥没する構成を採った領域である。
当該出没部Ｘは、前記稜線ｒを挟む一方の面に、開封表示が施された前記開閉部βを備えた部分を備える。
【実施例１】
【００１４】
図３乃至図５に示す例は、一枚のブランクシートを直方体状に成形してなる包装用箱である。
この例は、筒状に連結した方形状の四側面１，２，３，４並びに当該四側面に囲まれた開口部を封じる蓋部Ａ及び底部Ｂを備える。
当該包装用箱は、前記四側面１，２，３，４の一方の端に連続して、他方の端に位置する左側面１の裏側に重なる裏支持片５を備える。
【００１５】
この例の前記蓋部Ａは、前記左側面１及び当該左側面１に対向する右側面３の上縁から延出する上フラップ７，８と、前記左側面１に連続する前側面２及びそれに対向する後側面４双方の上縁から延出する前後蓋片９，１０で構成される。
この例では、前記前蓋片９と左右上フラップ７，８とは糊付されず、左右上フラップ７，８上において後蓋片１０の表面に前蓋片９を糊付することによって、前後蓋片９，１０と上フラップ７，８で複層部αを構成するように当該蓋部Ａが封じられる。
前記後側面４から延出する後蓋片１０は、その端縁に沿って差込片を備え、開封後は、当該差込片を前側面４の裏側に差し入れることによって再閉することができる。
【００１６】
この例の出没部Ｘは、複層部αの下層面である上フラップ７ｏｒ８と、それに続く左側面１又は右側面３の少なくとも一方との境界部に、その境界線と交差する一対の対称な切込ｓ，ｓに挟まれた領域である。
この例の出没部Ｘは、開封前においてその構成面（左右いずれかの上フラップ７ｏｒ８の一部とそれに連なる左右側面１，３の一部）の境界部分が外向きに（箱の外へ向けて）起きており、左右上フラップ７ｏｒ８側の開閉部βの表示面は、前記後蓋片１０の裏面に略接した状態で前記前後蓋片９，１０に覆われ、開封後に、前記境界部分を箱の内側へ押し入れることによって、前記切込線ｓ，ｓを境に前記出没部Ｘが前記境界部分の稜線ｒを谷折りの折り目として直角に陥没し、前記開閉部βの表示面は、前記後蓋片１０から離隔した状態で露出し、そこに記載されている開封表示が視認可能となる。
【００１７】
この例の前記底部Ｂは、前記左側面１及び前記右側面３の下縁からそれぞれ延出する下フラップ１１，１２と、それらを除く他の側面２，４の下縁からそれぞれ延出する前後封止片１３，１４とで構成される。
【００１８】
＜ブランクシート＞
上記包装用箱に組み上がるブランクシートは、複数の平面が屈曲部を介して連続し、複層部αとなる重合面の下層面とそれに連続する面との境界部に、その境界線（稜線ｒ）と交差する一対の切込ｓ，ｓに挟まれた出没部Ｘを備え、前記出没部Ｘは、膨出時において前記複層部αの上層面に覆われる開閉部βに、開封表示を備える。
【００１９】
図６に示す例は、一列で連結した四側面１，２，３，４並びに当該四側面１，２，３，４で形成される方形状の開口部を封じる蓋部Ａ及び底部Ｂと、前記左側面１の裏側に重なる裏支持片５を備え、前記左側面１及び前記右側面３に前記蓋部Ａ又は前記底部Ｂを構成するフラップ７，８，１１，１２を各々延設し、前記左側面１に連続する前側面２及びそれに対向する後側面４双方の上下縁から延出する前後蓋片９，１０及び前後封止片１３，１４を備える。
この例は、前記左側面１に、当該左側面１の側端縁を一辺とするタグ部Ｔを備え、前記タグ部の周囲に切込ｔを備える。
【００２０】
[組み立て]
前記ブランクシートの組み立て（立体化）は、先ず、前記ブランクシートの前記左側面１、前記前側面２、前記右側面３、前記後側面４及び前記裏支持片５を各々の境界において夫々同じ方向へ直角に折り曲げ、前記裏支持片５の糊代に糊を塗布し、前記左側面１と接着し、全体として筒状に成形する立体化行程を行う。
【００２１】
次に、前記左側面１及び前記右側面３の下端縁から延出する前記フラップ１１，１２を下開口部に向けて略直角に折り、前記後側面４の下端縁から延出する前記後封止片１４を、前記フラップ１１，１２の上に向けて略直角に折重ね、前記前側面２の下端縁から延出する前記前封止片１３を、前記フラップ１１，１２及び先に折重ねた前記後封止片１４の上に向けて略直角に折重ね、それらを糊付けで接着する下封鎖行程を行う。当該下封鎖行程によって、底部Ｂが完成する。
【００２２】
内容物の装填を経て、最後に、前記左側面１及び前記右側面３の上端縁から延出する前記フラップ７，８を上開口部に向けて略直角に折り、前記後側面４の上端縁から延出する前記後蓋片１０を前記フラップ７，８の上に向けて略直角に折り重ね、当該後蓋片１０の端縁から延出する前記差込片を前記前側面２に沿って差し入れ、最後に、前記前側面２の上端縁から延出する前記前蓋片９を前記フラップ７，８及び前記後蓋片１０の上に向けて略直角に折り重ねて糊付けする。
以上を以って、内容物が充填され封鎖された包装用箱が完成する。
【００２３】
[開封]
上記の如く封鎖された包装用箱は、前記前側面２の上端部に設けられた破断線ｂを指先で押し破り、更に、引き上げることによって、前後蓋片９，１０が後方へ起立する状態で開封される（図３参照）。
【００２４】
[タグ部の切り離し]
前記包装用箱は、例えば、前後側面２，４を加圧して、前記タグ部Ｔの側縁部を僅かに浮き上がらせた上で、前記タグ部Ｔの側縁部に指先などを引っ掛けて引き剥がすことによって、前記タグ部Ｔ周囲の切込ｔが破断し、前記タグ部Ｔを容易に切り離すことができる（図４（Ａ）参照）。
【００２５】
切り離された前記タグ部Ｔは、内容物情報を記した表示部が一見で目視できる短冊状のタグとなる。
本発明による包装用箱は、前記タグ部Ｔが存在した部分が欠け、前記裏支持片５が露出するものの、内容物の露出は回避できる（目隠し機能）。
また、前記裏支持片５の表面に離脱した部分と等しい図柄等の印刷をしておけば、離脱後の体裁も良好となる。
【００２６】
なお、この発明は上記実施例に限定されるものではなく、箱としての機能及び前記出没部Ｘの機能を損なわない限りにおいて、箱の形態又は箱全体における出没部Ｘの配置若しくは形態などを適宜変更することが可能である。
包装用箱の材質は、紙やプラスチック等、自由に選択可能である。折曲げ線や切込の形状も、前記機能を損なわない限りにおいて適宜変更可能である。
【符号の説明】
【００２７】
Ａ  蓋部，Ｂ  底部，Ｔ  タグ部，Ｘ  出没部，
ｓ  切込，ｔ  切込，ｒ  稜線， 
１  左側面，２  前側面，３  右側面，４  後側面，
５  裏支持片，
７  フラップ（上左），８  フラップ（上右），
９  前蓋片，１０  後蓋片，
１１  フラップ(下左)，１２  フラップ（下右），
１３  封止片（前），１４  封止片（後）， 
【図１】
2019001529.tif 000003
【図２】
2019001529.tif 000004
【図３】
2019001529.tif 000005
【図４】
2019001529.tif 000006
【図５】
2019001529.tif 000007
【図６】
2019001529.tif 000008